(57)【特許請求の範囲】
【請求項１】
形状の復元力がある材料からなり、多孔質材料からなる板状部材の一主面上に配置された前記板状部材に接する出力端子を有する板状の複数の太陽電池と、前記板状部材を密閉したフィルム体とからなり、前記フィルム体の内部を減圧状態とすることにより、前記板状部材が常圧状態より小体積になっている梱包構造を開封する方法であって、前記フィルム体に、空気を導入するための空気導入部を設けて空気を導入し、
復元力により前記板状部材の体積を増大させることを特徴とする太陽電池の梱包構造の開封方法。
【発明の詳細な説明】
【０００１】
【産業上の利用分野】
本発明は、太陽電池の梱包方法、梱包構造及び梱包構造の開封方法に関する。
【０００２】
【従来の技術】
ガラス基板上に非晶質シリコン層からなる発電膜を形成した太陽電池の梱包形態として、実公平５−３０３６８には、樹脂製パレットに形成された複数の凹部に、各々、太陽電池を収納する梱包形態が開示されている。
【０００３】
【発明が解決しようとする課題】
上記の梱包形態においては、発電膜からの出力を取り出す出力端子が、外気と直接にさらされることになり、長期間にわたり倉庫等に保管された場合、出力端子の腐食が進む。そして、この太陽電池を電子機器に取り付けるために、出力端子にリード線を半田付けするとき、出力端子に溶融した半田がのらない、あるいは、半田付け強度が弱い等の問題があった。
【０００４】
本発明はこのような問題点を解決するために成されたものであり、長期間保管しても出力端子が腐食しにくい梱包形態を提供することを目的とする。
【０００５】
【課題を解決するための手段】
本発明の主要な構成は、梱包された状態で太陽電池の出力端子が直接外気にさらされない、あるいは、減圧したフィルム体中に太陽電池を梱包することを特徴とする。
【０００６】
【実施例】
以下に、本発明を、図１〜７を用いて詳細に説明する。
【０００７】
まず、図１は梱包する太陽電池を示す斜視図であり、１はガラス等の絶縁表面を有する基板、２は、透明電極膜、非晶質シリコン膜及び金属電極膜からなる発電膜からの出力を導出する出力端子、３は発電膜を被い出力端子を露出させる樹脂材料等からなる保護膜である。出力端子２の材質は、透明導電膜、金属膜、銅ペースト膜等が採用できる。ここで、銅ペースト膜は、ガラス基板上で通常の半田付け作業ができるもので、フェノール系樹脂をバインダーとして、粒径約５〜７μｍの銅粉末を重量比約９０％で混入したものからなり、スクリーン印刷によるパタ−ニング後、加熱処理により硬化される。しかしながら、この銅ペースト膜は、腐食しやすい材質であるので、特に、本発明による出力端子の腐食防止対策を取る必要がある。
【０００８】
次に、図２〜３に示す工程により、第１実施例の梱包形態を説明する。
【０００９】
まず、図２に示す工程においては、ボール紙等の多孔質材料からなる板状部材５の一主面上に、上述した複数の太陽電池６、６・・・を配置する。ここで、太陽電池６は、出力端子２が板状部材５に接する状態で配置される。
【００１０】
図３に示す工程においては、複数の太陽電池６、６・・・上を含んで板状部材５上に、板状部材５に臨む面に熱可塑性樹脂からなる接着層（図示せず）を有する熱可塑性樹脂からなる透明な保護フィルムを加熱して仮に配置し、板状部材５の下面より、上面に位置する保護フィルム７を吸引する。これにより、図に示すように、板状部材５上の太陽電池６、６・・・の形状に沿って、保護フィルム７が形成される。ここで、保護フィルム７は、板状部材５に接する部分ではこれと接着するが、太陽電池６に接する部分とは密着するだけで、接着することはない。なお、保護フィルム７の材料としては、ポリプロピレン、ポリエステル、ポリエチレン等が利用できる。
【００１１】
そして、この梱包構造を輸送、保管後、開封するときは、保護フィルム７の端部を引き上げ、これを板状部材５から剥離する。上述のように、保護フィルム７は太陽電池６と接着することなく、密着しているだけなので、保護フィルム７を剥離すると、板状部材５上に太陽電池６、６・・・が残り、これらを容易に取り出すことができる。
【００１２】
本第１実施例は、以上の形態であり、梱包構造の輸送、保管中に、太陽電池６が板状部材５と保護フィルム７とにより包まれるので、出力端子２が直接外気にさらされることがない。従って、出力端子２が腐食されにくく、開封後の半田付けにおいて、強固にリ−ド線を接続することができる。
【００１３】
次に、図４〜７に示す工程により、第２実施例の梱包形態を説明する。
【００１４】
まず、図４に示す工程において、１５は形状の復元力のある板状部材であり、複数枚（図では２枚）のボール紙よりなる。そして、図に示すように、板状部材１５の一主面上に、上述した複数の太陽電池６、６・・・を配置する。ここで、太陽電池６は、出力端子２が板状部材１５に接する状態で配置される。また、復元力のある板状部材１５の他の例としては、ボール紙と復元力のあるスポンジとの積層体等も利用することができる。
【００１５】
そして、図５に示す工程において、板状部材１５の上面、下面に、板状部材１５より大面積の透明フィルムシート１７、１７を配置し、フィルムシート１７の外周部の一部に位置する排気通路１８を除いて、フィルムシート１７、１７の外周を熱圧着してフィルム体１９を作成する。なお、保護フィルム１７の材料としては、ポリプロピレン、ポリエステル、ポリエチレン等が利用できる。
【００１６】
次に、図６に示す工程において、排気通路１８よりフィルム体１９内部を排気し、その後、排気通路１８を封止することにより梱包形態を完成する。この工程により、フィルム体１９内部は減圧状態となり、板状部材１５が常圧状態より小体積になる。
【００１７】
この梱包構造を輸送、保管後、図７に示す工程にて、開封する。フィルム体１９の一部に空気を導入するための空気導入部２０を設けて空気を導入し、復元力により板状部材１５の体積を増大させる。図に示すように、空気導入部分２０として、フィルム体１９の一辺の熱圧着部分を切り落とすことにより空気を導入すると、太陽電池６が配置された板状部材１５をフィルム体１９から容易に取り出すことができる。
【００１８】
本第２実施例は、以上の内容であり、梱包構造の輸送、保管中に、太陽電池６がフィルム体１９に減圧状態で封止されるので、出力端子２が腐食されにくく、開封後の半田付けにおいて、強固にリ−ド線を接続することができる。
【００１９】
【発明の効果】
本発明の梱包形態は以上の構成であり、梱包された状態で太陽電池の出力端子が直接外気にさらされない、あるいは、減圧したフィルム体中に太陽電池が梱包されるので、出力端子が腐食しにくい。
【図面の簡単な説明】
【図１】本発明に用いる太陽電池の斜視図である。
【図２】本発明の第１実施例における第１工程を示す図であり、（ａ）は斜視図、（ｂ）は（ａ）におけるＡ−Ａ断面図である。
【図３】本発明の第１実施例における第２工程を示す図であり、（ａ）は斜視図、（ｂ）は（ａ）におけるＡ−Ａ断面図である。
【図４】本発明の第２実施例における第１工程を示す図であり、（ａ）は斜視図、（ｂ）は（ａ）におけるＡ−Ａ断面図である。
【図５】本発明の第２実施例における第２工程を示す図であり、（ａ）は斜視図、（ｂ）は（ａ）におけるＡ−Ａ断面図である。
【図６】本発明の第２実施例における第３工程を示す図であり、（ａ）は斜視図、（ｂ）は（ａ）におけるＡ−Ａ断面図である。
【図７】本発明の第２実施例における第４工程を示す図であり、（ａ）は斜視図、（ｂ）は（ａ）におけるＡ−Ａ断面図である。
【符号の説明】
２  出力端子
５  板状部材
６  太陽電池
１５  板状部材
１７  フィルムシート
１８  排気通路
１９  フィルム体
２０  空気導入部
【図１】
0003723276.tif 000002
【図２】
0003723276.tif 000003
【図３】
0003723276.tif 000004
【図４】
0003723276.tif 000005
【図５】
0003723276.tif 000006
【図６】
0003723276.tif 000007
【図７】
0003723276.tif 000008